(57)【要約】【課題】清掃シートをより無駄なく使用できる清掃用具を提供する。【解決手段】把手を備えるロッド２に接続される板状の清掃ヘッド３と、該清掃ヘッド３に設けられた装着部４とを備え、清掃ヘッド３に巻付けられた清掃シートＳを装着部４に着脱可能な清掃用具１において、清掃ヘッド３を、該清掃ヘッド３の表面３ａと裏面３ｂとを反転可能にする反転枢支部８を介してロッド２に接続する。【選択図】図１
2016123595.tif 000002
【特許請求の範囲】
【請求項１】
把手を備えるロッドに接続される板状の清掃ヘッドと、該清掃ヘッドに設けられた装着部とを備え、前記清掃ヘッドに巻付けられた清掃シートを前記装着部に着脱可能な清掃用具において、
前記清掃ヘッドは、該清掃ヘッドの表面と裏面とを反転可能にする反転枢支部を介して前記ロッドに接続されることを特徴とする清掃用具。
【請求項２】
前記清掃ヘッドは、表面側と裏面側で異なる形状の清掃面を有する、請求項１に記載の清掃用具。
【請求項３】
前記ロッドと前記清掃ヘッドとを接続する接続部材を備え、
前記接続部材の一端部は前記ロッドに回動可能に接続される一方、他端部は前記清掃ヘッドに前記反転枢支部を介して接続され、
前記清掃ヘッドは、前記接続部材の一端部を前記清掃ヘッドの表面側に回動させたときに前記接続部材を着座させる表面側着座部と、前記接続部材の一端部を前記清掃ヘッドの裏面側に回動させたときに前記接続部材を着座させる裏面側着座部とを備える、請求項１又は２に記載の清掃用具。
【発明の詳細な説明】
【技術分野】
【０００１】
本発明は、把手を備えるロッドに接続される板状の清掃ヘッドに清掃シートを着脱可能な清掃用具に関し、特に、清掃シートをより無駄なく使用できるようにしようとするものである。
【背景技術】
【０００２】
従来、家庭やオフィスなどでフローリングや畳などの床面を清掃するための清掃用具として、把手を備えるロッドに接続される板状の清掃ヘッドと、該清掃ヘッドに設けられた装着部とを備え、清掃ヘッドに巻付けられた清掃シートを装着部に着脱可能なものが知られている。
【０００３】
このような清掃用具は、例えば特許文献１に記載されるように、把手を備えるロッドが清掃ヘッドの表面に接続されており、清掃ヘッドに巻付けられた清掃シートの両端部を清掃ヘッドの表面に設けられた装着部に装着し、清掃ヘッドの裏面によって清掃シートを床面に押し付けつつ滑らせて清掃するようになっている。
【先行技術文献】
【特許文献】
【０００４】
【特許文献１】実用新案登録第２５０７３００号公報
【発明の概要】
【発明が解決しようとする課題】
【０００５】
しかしながら、特許文献１に記載されるような従来の清掃用具では、清掃シートは、清掃ヘッドの表面に配置された部分が床面の清掃に使用されないまま廃棄されるのが普通であった。
【０００６】
本発明は、前記の現状に鑑み開発されたもので、清掃シートをより無駄なく使用できる清掃用具を提供することを目的とする。
【課題を解決するための手段】
【０００７】
すなわち、本発明の要旨構成は以下のとおりである。
１．把手を備えるロッドに接続される板状の清掃ヘッドと、該清掃ヘッドに設けられた装着部とを備え、前記清掃ヘッドに巻付けられた清掃シートを前記装着部に着脱可能な清掃用具において、
前記清掃ヘッドは、該清掃ヘッドの表面と裏面とを反転可能にする反転枢支部を介して前記ロッドに接続されることを特徴とする清掃用具。
【０００８】
２．前記清掃ヘッドは、表面側と裏面側で異なる形状の清掃面を有する、前記１の清掃用具。
【０００９】
３．前記ロッドと前記清掃ヘッドとを接続する接続部材を備え、
前記接続部材の一端部は前記ロッドに回動可能に接続される一方、他端部は前記清掃ヘッドに前記反転枢支部を介して接続され、
前記清掃ヘッドは、前記接続部材の一端部を前記清掃ヘッドの表面側に回動させたときに前記接続部材を着座させる表面側着座部と、前記接続部材の一端部を前記清掃ヘッドの裏面側に回動させたときに前記接続部材を着座させる裏面側着座部とを備える、前記１又は２の清掃用具。
【発明の効果】
【００１０】
本発明によれば、清掃ヘッドの裏面によって清掃シートを床面に押し付けつつ滑らせて清掃した後に、反転枢支部を介して清掃ヘッドの表面と裏面とを反転させれば、清掃ヘッドの表面によって清掃シートを床面に押し付けつつ滑らせて清掃することができる。したがって、本発明によれば、清掃シートの、清掃ヘッドの裏面に配置された部分だけでなく、清掃ヘッドの表面に配置された部分をも、床面の清掃に使用することができる。
【００１１】
したがって、本発明によれば、清掃シートをより無駄なく使用できる清掃用具を提供することができる。
【図面の簡単な説明】
【００１２】
【図１】本発明の一実施形態に係る清掃用具の清掃ヘッドを示す上面図である。
【図２】図１のＡ−Ａ断面図である。
【発明を実施するための形態】
【００１３】
以下、図１〜図２を参照して、本発明の一実施形態に係る清掃用具について詳細に例示説明する。
図１〜図２に示すように、本実施形態に係る清掃用具１は、家庭やオフィスなどでフローリングや畳などの床面を清掃するために用いられるものであり、把手を備えるロッド２に接続される板状の清掃ヘッド３を備えている。
【００１４】
清掃ヘッド３は、装着部４を備え、清掃ヘッド３に巻付けられた清掃シートＳを装着部４に着脱可能になっている。本例では、清掃ヘッド３を、互いにヒンジ５を介して回動可能に接続された保持板６と底板７とで構成し、これら保持板６及び底板７によって挟まれる部分を装着部４としている。なお、保持板６と底板７の間には、挟み込んだ清掃シートＳがはずれないようにするために、例えば、挟み込む方向に回動させる付勢力を付与したり、挟み込んだ状態を確実に保持するためのロック機構を設けたりすることができる。
【００１５】
また、装着部４は、このような構成に代えて、例えば、清掃シートＳを押し込み係着させられるスリットを備える弾性部材からなる係着具や、ヒンジを介して回動し、清掃シートＳを挟み込んで固定できる固定具などを清掃ヘッド３の表面３ａや裏面３ｂに設けることで構成してもよい。このような係着具や固定具を装着部４とする場合には、清掃ヘッド３は、必ずしも本例のように保持板６と底板７とで構成する必要はなく、１部材で構成することも可能である。
【００１６】
また、清掃ヘッド３は、表面３ａ側と裏面３ｂ側で異なる形状の清掃面を有するように構成することが好ましい。本例では、表面３ａは滑らかな平面状に形成する一方、裏面３ｂには多数の凹凸を形成しているが、その他の形状を適宜設定することもできる。
【００１７】
さらに、清掃ヘッド３は、該清掃ヘッド３の表面３ａと裏面３ｂとを反転可能にする反転枢支部８を介してロッド２に接続されている。より具体的には、清掃用具１は、ロッド２と清掃ヘッド３とを接続する接続部材９を備えており、接続部材９の一端部９ａはロッド２に自在継手１０を介して回動可能に接続される一方、他端部９ｂは清掃ヘッド３に反転枢支部８を介して接続されている。そして、清掃ヘッド３には、接続部材９の一端部９ａを清掃ヘッド３の表面３ａ側に回動させたときに接続部材９を着座させる表面側着座部１１ａと、接続部材９の一端部９ａを清掃ヘッド３の裏面３ｂ側に回動させたときに接続部材９を着座させる裏面側着座部１１ｂとが設けられている。
【００１８】
なお、本例では、反転枢支部８は、保持板６に形成された軸受け部として構成されている。保持板６、接続部材９、自在継手１０及びロッド２は、例えばＡＢＳ樹脂等の剛性材料によって構成することができ、底板７は、例えばウレタンゴムなどの柔軟な弾性材料によって構成することができる。
【００１９】
また、清掃シートＳには、接続部材９の回動時に清掃シートＳが皺にならないようにするために、図１に示したように、接続部材９の回動に伴って接続部材９を通過させるスリット１２（又は容易に破断してスリット１２を形成できるミシン目）を設けることが好ましい。なお、清掃シートＳは、例えば不織布などによって構成することができる。
【００２０】
かかる構成になる本実施形態に係る清掃用具１によれば、清掃ヘッド３の裏面３ｂによって清掃シートＳを床面に押し付けつつ滑らせて清掃した後に、反転枢支部８を介して清掃ヘッド３の表面３ａと裏面３ｂとを反転させれば、清掃ヘッド３の表面３ａによって清掃シートＳを床面に押し付けつつ滑らせて清掃することができる。したがって、清掃用具１によれば、清掃シートＳの、清掃ヘッド３の裏面３ｂに配置された部分だけでなく、清掃ヘッド３の表面３ａに配置された部分をも、床面の清掃に使用することができる。したがって、清掃用具１によれば、従来と比べ、清掃シートＳをより無駄なく使用することが可能となる。
【００２１】
また、清掃ヘッド３を、表面３ａ側と裏面３ｂ側で異なる形状の清掃面を有するように構成した場合には、清掃対象とする床面（フローリング、畳など）の形状に応じて、より適切な清掃面を選択できるため、よりきめの細かい清掃を可能とすることができる。なお、このように清掃ヘッド３を、表面３ａ側と裏面３ｂ側で異なる形状の清掃面を有するように構成した場合でも、清掃ヘッド３を、表面３ａ側と裏面３ｂ側で同一の形状の清掃面を有するように構成した場合でも、前述したように清掃ヘッド３の両面側に位置する清掃シートＳを清掃に使用できるので、１枚の清掃シートＳで従来よりも広範囲の清掃が可能となる。
【００２２】
さらに、本実施形態によれば、清掃用具１は、ロッド２と清掃ヘッド３とを接続する接続部材９を備え、接続部材９の一端部９ａはロッド２に回動可能に接続される一方、他端部９ｂは清掃ヘッド３に反転枢支部８を介して接続され、清掃ヘッド３は、接続部材９の一端部９ａを清掃ヘッド３の表面３ａ側に回動させたときに接続部材９を着座させる表面側着座部１１ａと、接続部材９の一端部９ａを清掃ヘッド３の裏面３ｂ側に回動させたときに接続部材９を着座させる裏面側着座部１１ｂとを備えるように構成されているため、床面の清掃時に、床面に対するロッド２からの押圧力を、接続部材９と表面側着座部１１ａ又は裏面側着座部１１ｂとを介して清掃ヘッド３に確実に伝えることができる。したがって、清掃ヘッド３の表面３ａと裏面３ｂのいずれを清掃面として用いる場合にも、容易且つ確実な清掃を可能とすることができる。
【００２３】
前述したところは本発明の一実施形態を示したにすぎず、特許請求の範囲において、種々の変更を加えることができる。例えば、底板７は、前述した保持板６の場合と同様に、例えばＡＢＳ樹脂等の剛性材料によって構成してもよい。あるいは、底板７を、例えばＡＢＳ樹脂等の剛性材料からなる板状の剛性部材と、該板状の剛性部材の外周縁及び表面（清掃ヘッドの裏面３ｂに相当する面）の少なくとも一部を覆う、例えばウレタンゴムなどの柔軟な弾性材料からなる弾性部材とで構成してもよい。なお、このような剛性部材と弾性部材はインサート成形又は接着、嵌合等により一体化することができる。また、保持板６についても底板７の場合と同様であって、保持板６は、前記したような剛性部材と弾性部材とをインサート成形又は接着、嵌合等により一体化することで構成することができる。
【符号の説明】
【００２４】
１  清掃用具
２  ロッド
３  清掃ヘッド
３ａ  清掃ヘッドの表面
３ｂ  清掃ヘッドの裏面
４  装着部
５  ヒンジ
６  保持板
７  底板
８  反転枢支部
９  接続部材
９ａ  接続部材の一端部
９ｂ  接続部材の他端部
１０  自在継手
１１ａ  表面側着座部
１１ｂ  裏面側着座部
１２  スリット
Ｓ  清掃シート
【図１】
2016123595.tif 000003
【図２】
2016123595.tif 000004